(57)【要約】      （修正有）【課題】キャンプにおいて暗い夜を明るく照らせる照明機能付きエアマットを提供する。【解決手段】エアマットを備えた照明機能付きエアマットであって、エアマットは、長方体のエアマットであり、エアマットの頂部に固定用ホルダ８が設けられ、固定用ホルダ８の上方に照明装置が取り付けられ、照明装置は電源アセンブリと、連結アセンブリと、押圧スイッチ３と、ＬＥＤライトボード４と、配線基板７と、を備え、固定用ホルダ８の上方が連結アセンブリを通じて電源アセンブリと連結し、電源アセンブリと押圧スイッチ３とが電気的に接続され、電源アセンブリが配線基板７を通じてＬＥＤライトボード４と電気的に接続し、照明装置を通じて、キャンプの夜を照らすことで、キャンプの安全性を向上させることができる。ライトシートベース部２とＡＢＳ電池ホルダ５との間のねじ込み結合を介して開閉方向を回してベース部を開き、電池９の交換を容易にし、夜間照明、安全かつ信頼性および簡単かつ実用の利点を有する。【選択図】図１
0003230476.tif 000002
【実用新案登録請求の範囲】
【請求項１】
エアマット（１０）を備えた照明機能付きエアマットであって、前記エアマット（１０）は、長方体のエアマットであり、前記エアマット（１０）の頂部に固定用ホルダ（８）が設けられ、前記固定用ホルダ（８）の上方に照明装置が取り付けられ、前記照明装置は電源アセンブリと、連結アセンブリと、押圧スイッチ（３）と、ＬＥＤライトボード（４）と、配線基板（７）と、を備え、前記固定用ホルダ（８）の上方が前記連結アセンブリを通じて前記電源アセンブリと連結し、前記電源アセンブリと前記押圧スイッチ（３）とが電気的に接続され、前記電源アセンブリが前記配線基板（７）を通じて前記ＬＥＤライトボード（４）と電気的に接続することを特徴とする、照明機能付きエアマット。
【請求項２】
前記電源アセンブリは、ＡＢＳ電池ホルダ（５）と、電池クリップ（６）と、電池（９）と、を備え、前記固定用ホルダ（８）の上方に前記ＡＢＳ電池ホルダ（５）が取り付けられ、前記ＡＢＳ電池ホルダ（５）内に前記電池クリップ（６）が設けられ、前記電池クリップ（６）の間に複数の前記電池（９）が取り付けられることを特徴とする、請求項１に記載の照明機能付きエアマット。
【請求項３】
前記ＬＥＤライトボード（４）と前記電源アセンブリとの間にライトシートベース部（２）が回転可能に取り付けられ、前記ライトシートベース部（２）の底部外側に雄ネジ部が設けられ、前記ライトシートベース部（２）の底部に照明カバー（１）が設けられ、前記ＡＢＳ電池ホルダ（５）の頂部に雌ネジ部が設けられ、前記ライトシートベース部（２）と前記ＡＢＳ電池ホルダ（５）は前記雌ネジ部と前記雄ネジ部との間のねじ込み結合を介して回転可能に連結されることを特徴とする、請求項２に記載の照明機能付きエアマット。
【請求項４】
前記照明カバー（１）は、光拡散機能を有するＰＰ材料で製造されることを特徴とする、請求項３に記載の照明機能付きエアマット。
【請求項５】
前記ライトシートベース部（２）は、滑り止め機能付きＡＢＳ回転ライトシートベース部であることを特徴とする、請求項４に記載の照明機能付きエアマット。
【請求項６】
前記ＬＥＤライトボード（４）上に３つのＬＥＤライトシートが設けられることを特徴とする、請求項３に記載の照明機能付きエアマット。
【請求項７】
前記固定用ホルダ（８）は、ＡＢＳ材料とＴＰＵ材料を組み合わせて製造され、高周波技術を通じて前記エアマット（１０）と溶接して一体化することを特徴とする、請求項１に記載の照明機能付きエアマット。
【請求項８】
前記エアマット（１０）は、２個の複合ＴＰＵ材質のナイロン生地が高周波電圧を通じて形成する空気を入れることができるベッドであることを特徴とする、請求項１に記載の照明機能付きエアマット。
【考案の詳細な説明】
【技術分野】
【０００１】
本考案は、アウトドア用品の技術分野に関し、特に、照明機能付きエアマットに関する。
【背景技術】
【０００２】
野外にテントを張って宿泊するのは、かつて軍事やスポーツの訓練項目の一つであった、現代になると一般の人々のレジャー活動になっている。キャンプには、一般的に篝火起こす必要があるが野生動物の侵入を防ぐだけでなく、キャンプ用食品を焼く、グリルする、煮るまたは加熱するにも使用できるため、キャンプにとって火起こしは非常に重要である。
【０００３】
現在のキャンプ用エアマットは、使用者のキャンプ時の休憩ニーズだけを満たし、暗い夜を効果的に照らすことができないため、容易に事故が起きてしまう。上記から、従来のキャンプ用エアマットに暗い夜を明るく照らすことができないという欠点があり、普及して応用することが難しいことが分かる。
【０００４】
上記の問題点を解決するため、照明機能付きエアマットを提供する必要がある。
【考案の概要】
【考案が解決しようとする課題】
【０００５】
故に、従来技術の欠点に着目し、本考案の実施例は、上記背景技術に記載されている課題を解決するための照明機能付きエアマットを提供することを目的とする。
【課題を解決するための手段】
【０００６】
本考案では、上記目的を達成するため、次の技術的手段を講じた。
エアマットを備えた照明機能付きエアマットであって、前記エアマットは、長方体のエアマットであり、前記エアマットの頂部に固定用ホルダが設けられ、前記固定用ホルダの上方に照明装置が取り付けられ、前記照明装置は電源アセンブリと、連結アセンブリと、押圧スイッチと、ＬＥＤライトボードと、配線基板と、を備え、前記固定用ホルダの上方が連結アセンブリを通じて電源アセンブリと連結し、前記電源アセンブリと押圧スイッチとが電気的に接続され、前記電源アセンブリが配線基板を通じてＬＥＤライトボードと電気的に接続し、照明装置を通じて、キャンプの夜を照らすことで、キャンプの安全性を向上させることができる。
【０００７】
本考案のさらなる解決手段として、前記電源アセンブリは、ＡＢＳ電池ホルダと、電池クリップと、電池と、を備え、前記固定用ホルダの上方にＡＢＳ電池ホルダが取り付けられ、前記ＡＢＳ電池ホルダ内に電池クリップが設けられ、前記電池クリップの間に複数の電池が取り付けられ、電池を通じて、ＬＥＤライトボードに電力を供給することで、電気エネルギーを提供できる。
【０００８】
本考案のさらなる解決手段として、前記ＬＥＤライトボードと電源アセンブリとの間にライトシートベース部が回転可能に取り付けられ、前記ライトシートベース部の底部外側に雄ネジ部が設けられ、前記ライトシートベース部の底部に照明カバーが設けられ、前記ＡＢＳ電池ホルダの頂部に雌ネジ部が設けられ、前記ライトシートベース部とＡＢＳ電池ホルダは雌ネジ部と雄ネジ部との間のねじ込み結合を介して回転可能に連結され、照明カバーとライトシートベース部との間のねじ込み結合を介して開閉方向を回してベース部を開き、電池の交換を容易にし、装置の実用性を向上させることができる。
【０００９】
本考案のさらなる解決手段として、前記照明カバーは、光拡散機能を有するＰＰ材料で製造される。
【００１０】
本考案のさらなる解決手段として、前記ライトシートベース部は、滑り止め機能付きＡＢＳ回転ライトシートベース部である。
【００１１】
本考案のさらなる解決手段として、前記ＬＥＤライトボード上に３つのＬＥＤライトシートが設けられることで、明るさを高めることができる。
【００１２】
本考案のさらなる解決手段として、前記固定用ホルダは、ＡＢＳ材料とＴＰＵ材料を組み合わせて製造され、高周波技術を通じてエアマットと溶接して一体化し、使用中にエアマットと照明装置が分離することで、使用上の効果に影響を与えることを防ぐことができる。
【００１３】
本考案のさらなる解決手段として、前記エアマットは、２個の複合ＴＰＵ材質のナイロン生地が高周波電圧を通じて形成する空気を入れることができるベッドである。
【考案の効果】
【００１４】
上記をまとめると、本考案の実施例は、従来技術と比較して、次の有利な効果を有する。
本考案は、エアマットに取り付けられた照明装置を通じて、エアマットの付近空間を照らし、キャンプの夜の暗闇による事故を防ぐことができ、照明カバーとライトシートベース部との間のねじ込み結合を通じて、開閉方向を回させてベース部を開き、電池の交換を容易にし、装置の実用性を向上させることができ、夜間照明、安全かつ信頼性および簡単かつ実用の効果を有する。
【００１５】
以下、本考案の構造的特徴および効果をより明確に説明するため、添付図面および具体的実施例を参照しつつ本考案を詳細に説明する。
【図面の簡単な説明】
【００１６】
【図１】本考案の実施例に係る照明カバーの構造を示す模式図である。
【図２】本考案の実施例に係るエアマットの外形図である。
【図３】本考案の実施例に係るエアマットの構造を示す模式図である。
【考案を実施するための形態】
【００１７】
以下、本考案の目的、技術的手段及び利点をより明確させるため、添付図面及び実施例を参照しつつ本考案を詳細に説明する。ここで記述されている具体的実施例は、あくまでも本考案の技術内容を明らかにするものであって、本考案を限定しないことを理解すべきである。
【００１８】
以下、具体的実施例を組み合わせて本考案の具体的実現を詳細に説明する。
【実施例１】
【００１９】
図１を参照すると、エアマット１０を備えた照明機能付きエアマットであって、前記エアマット１０は、長方体のエアマットであり、前記エアマット１０の頂部に固定用ホルダ８が設けられ、前記固定用ホルダ８の上方に照明装置が取り付けられ、前記照明装置は電源アセンブリと、連結アセンブリと、押圧スイッチ３と、ＬＥＤライトボード４と、配線基板７と、を備え、前記固定用ホルダ８の上方が連結アセンブリを通じて電源アセンブリと連結し、前記電源アセンブリと押圧スイッチ３とが電気的に接続され、前記電源アセンブリが配線基板７を通じてＬＥＤライトボード４と電気的に接続し、照明装置を通じて、キャンプの夜を照らすことで、キャンプの安全性を向上させることができる。
【００２０】
前記電源アセンブリは、ＡＢＳ電池ホルダ５と、電池クリップ６と、電池９と、を備え、前記固定用ホルダ８の上方にＡＢＳ電池ホルダ５が取り付けられ、前記ＡＢＳ電池ホルダ５内に電池クリップ６が設けられ、前記電池クリップ６の間に複数の電池９が取り付けられ、電池９を通じて、ＬＥＤライトボード４に電力を供給することで、電気エネルギーを提供できる。
【００２１】
前記ＬＥＤライトボード４と電源アセンブリとの間にライトシートベース部２が回転可能に取り付けられ、前記ライトシートベース部２の底部外側に雄ネジ部が設けられ、前記ライトシートベース部２の底部に照明カバー１が設けられ、前記ＡＢＳ電池ホルダ５の頂部に雌ネジ部が設けられ、前記ライトシートベース部２とＡＢＳ電池ホルダ５は雌ネジ部と雄ネジ部との間のねじ込み結合を介して回転可能に連結され、照明カバー１とライトシートベース部２との間のねじ込み結合を介して開閉方向を回してベース部を開き、電池９の交換を容易にし、装置の実用性を向上させることができる。
【００２２】
好ましくは、本実施例において、前記照明カバー１は、光拡散機能を有するＰＰ材料で製造される。
【００２３】
好ましくは、本実施例において、前記ライトシートベース部２は、滑り止め機能付きＡＢＳ回転ライトシートベース部２である。
【００２４】
好ましくは、本実施例において、前記ＬＥＤライトボード４上に３つのＬＥＤライトシートが設けられることで、明るさを高めることができる。
【００２５】
好ましくは、本実施例において、前記固定用ホルダ８は、ＡＢＳ材料とＴＰＵ材料を組み合わせて製造され、高周波技術を通じてエアマット１０と溶接して一体化し、使用中にエアマット１０と照明装置が分離することで、使用上の効果に影響を与えることを防ぐことができる。
【実施例２】
【００２６】
図１〜図２を参照すると、実施例１のようなエアマット１０を備えた照明機能付きエアマットであって、前記エアマット１０は、長方体のエアマット１０であり、前記エアマット１０の頂部に固定用ホルダ８が設けられ、前記固定用ホルダ８の上方に照明装置が取り付けられ、前記照明装置は電源アセンブリと、連結アセンブリと、押圧スイッチ３と、ＬＥＤライトボード４と、配線基板７と、を備え、前記固定用ホルダ８の上方が連結アセンブリを通じて電源アセンブリと連結し、前記電源アセンブリと押圧スイッチ３とが電気的に接続され、前記電源アセンブリが配線基板７を通じてＬＥＤライトボード４と電気的に接続し、照明装置を通じて、キャンプの夜を照らすことで、キャンプの安全性を向上させることができる。
【００２７】
前記電源アセンブリは、ＡＢＳ電池ホルダ５と、電池クリップ６と、電池９と、を備え、前記固定用ホルダ８の上方にＡＢＳ電池ホルダ５が取り付けられ、前記ＡＢＳ電池ホルダ５内に電池クリップ６が設けられ、前記電池クリップ６の間に複数の電池９が取り付けられ、電池９を通じて、ＬＥＤライトボード４に電力を供給することで、電気エネルギーを提供できる。
【００２８】
前記ＬＥＤライトボード４と電源アセンブリとの間にライトシートベース部２が回転可能に取り付けられ、前記ライトシートベース部２の底部外側に雄ネジ部が設けられ、前記ライトシートベース部２の底部に照明カバー１が設けられ、前記ＡＢＳ電池ホルダ５の頂部に雌ネジ部が設けられ、前記ライトシートベース部２とＡＢＳ電池ホルダ５は雌ネジ部と雄ネジ部との間のねじ込み結合を介して回転可能に連結され、照明カバー１とライトシートベース部２との間のねじ込み結合を介して開閉方向を回してベース部を開き、電池９の交換を容易にし、装置の実用性を向上させることができる。
【００２９】
実施例１との相違点は、前記エアマット１０は２個の複合ＴＰＵ材質のナイロン生地が高周波電圧を通じて形成する空気を入れることができるベッドである。
【００３０】
本実施例の他の構造部分は、実施例１と同じである。
【００３１】
本考案の動作原理
電池９を通じて、ＬＥＤライトボード４に電力を供給することで、電気エネルギーを提供でき、ライトシートベース部２とＡＢＳ電池ホルダ５との間のねじ込み結合を介して開閉方向を回してベース部を開き、電池９の交換を容易にし、前記固定用ホルダ８は、高周波技術を通じてエアマット１０と溶接して一体化し、使用中にエアマット１０と照明装置が分離することを効果的に防ぐ。
【００３２】
本考案では好ましい実施例を前述の通り開示したが、これらは決して本考案に限定するものではなく、当該技術を熟知する者なら誰でも、本考案の精神と原則を脱しない範囲において種々の改良変更、均等物の置換をなし得ることは、本考案の保護範囲内に含めるものであるのが勿論である。
【符号の説明】
【００３３】
１０  エアマット
１  照明カバー
２  ライトシートベース部
３  押圧スイッチ
４  ＬＥＤライトボード
５  ＡＢＳ電池ホルダ
６  電池クリップ
７  配線基板
８  固定用ホルダ
９  電池
【図１】
0003230476.tif 000003
【図２】
0003230476.tif 000004
【図３】
0003230476.tif 000005
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
エアマット（１０）を備えた照明機能付きエアマットであって、前記エアマット（１０）は、長方体のエアマットであり、前記エアマット（１０）の頂部に固定用ホルダ（８）が設けられ、前記固定用ホルダ（８）の上方に照明装置が取り付けられ、前記照明装置は電源アセンブリと、連結アセンブリと、押圧スイッチ（３）と、ＬＥＤライトボード（４）と、配線基板（７）と、を備え、前記固定用ホルダ（８）の上方が前記連結アセンブリを通じて前記電源アセンブリと連結し、前記電源アセンブリと前記押圧スイッチ（３）とが電気的に接続され、前記電源アセンブリが前記配線基板（７）を通じて前記ＬＥＤライトボード（４）と電気的に接続することを特徴とする、照明機能付きエアマット。
【請求項２】
前記電源アセンブリは、ＡＢＳ電池ホルダ（５）と、電池クリップ（６）と、電池（９）と、を備え、前記固定用ホルダ（８）の上方に前記ＡＢＳ電池ホルダ（５）が取り付けられ、前記ＡＢＳ電池ホルダ（５）内に前記電池クリップ（６）が設けられ、前記電池クリップ（６）の間に複数の前記電池（９）が取り付けられることを特徴とする、請求項１に記載の照明機能付きエアマット。
【請求項３】
前記ＬＥＤライトボード（４）と前記電源アセンブリとの間にライトシートベース部（２）が回転可能に取り付けられ、前記ライトシートベース部（２）の底部外側に雄ネジ部が設けられ、前記ライトシートベース部（２）の底部に照明カバー（１）が設けられ、前記ＡＢＳ電池ホルダ（５）の頂部に雌ネジ部が設けられ、前記ライトシートベース部（２）と前記ＡＢＳ電池ホルダ（５）は前記雌ネジ部と前記雄ネジ部との間のねじ込み結合を介して回転可能に連結されることを特徴とする、請求項２に記載の照明機能付きエアマット。
【請求項４】
前記照明カバー（１）は、光拡散機能を有するＰＰ材料で製造されることを特徴とする、請求項３に記載の照明機能付きエアマット。
【請求項５】
前記ライトシートベース部（２）は、滑り止め機能付きＡＢＳ回転ライトシートベース部であることを特徴とする、請求項４に記載の照明機能付きエアマット。
【請求項６】
前記ＬＥＤライトボード（４）上に３つのＬＥＤライトシートが設けられることを特徴とする、請求項３に記載の照明機能付きエアマット。